(57)【要約】      （修正有）【課題】外形が簡素で、ユーザの装着快適性を効果的に向上できるアイシェードを提供する。【解決手段】アイシェード本体部１と、２つの突出部２とを含み、本体部１は、全体として弧状に形成され、ユーザに向かう内表面及びユーザから離れた外表面１２が弧状に形成されており、本体部１の底部には、ノッチ１３が設けられており、２つの突出部２は、本体部１におけるユーザから離れた外表面１２に設けられ、ノッチ１３の左右両側にそれぞれ位置しており、２つの上記突出部２には、ユーザの眼部に対応する位置に貫通孔２０が設けられている。【選択図】図２
0003211460.tif 000002
【実用新案登録請求の範囲】
【請求項１】
アイシェードであって、
本体部と、２つの突出部とを含み、
前記本体部は、全体として弧状に形成され、ユーザに向かう内表面及びユーザから離れた外表面が弧状に形成されており、
前記本体部の底部には、ノッチが設けられており、
２つの前記突出部は、前記本体部におけるユーザから離れた外表面に設けられ、前記ノッチの左右両側にそれぞれ位置しており、
２つの前記突出部には、ユーザの眼部に対応する位置に貫通孔が設けられている、
ことを特徴とするアイシェード。
【請求項２】
前記本体部の左側面及び右側面と前記本体部の上面との間は、平滑な弧面になる、
ことを特徴とする請求項１に記載のアイシェード。
【請求項３】
前記本体部の底部は下方に突出して２つの面頬部が形成されており、
前記ノッチは、２つの前記面頬部の間で三角形に形成されており、
前記本体部の左側面及び右側面と２つの面頬部の側面との間は、それぞれ平滑な弧面になる、
ことを特徴とする請求項１に記載のアイシェード。
【請求項４】
前記本体部におけるユーザに向かう内表面には、前記突出部に対応する位置に凹陥部が形成されている、
ことを特徴とする請求項１に記載のアイシェード。
【請求項５】
前記突出部の上面及び下面は、三角形に形成されている、
ことを特徴とする請求項１に記載のアイシェード。
【請求項６】
前記突出部の側面は、凸弧面に形成されている、
ことを特徴とする請求項１に記載のアイシェード。
【請求項７】
前記本体部と２つの前記突出部とは、一体に成形されている、
ことを特徴とする請求項１項に記載のアイシェード。
【請求項８】
前記本体部におけるユーザから離れた外表面には、２つの前記突出部の間に位置した挿入接続ピンが設けられている、
ことを特徴とする請求項１に記載のアイシェード。
【考案の詳細な説明】
【技術分野】
【０００１】
本考案は、ウェアラブルデバイスに関し、特にアイシェードに関する。
【背景技術】
【０００２】
ウェアラブルディスプレイ装置は、ユーザの頭部に装着可能なウェアラブル電子デバイスであり、そのビジュアルウィンドウを通して画像を観察できる。ウェアラブルディスプレイ装置は、ユーザの頭部に直接装着されるときに、ユーザの眼部との間に支持緩衝構造が存在しないと、ユーザに不快感を与え、長時間の装着に適用できないため、ウェアラブルディスプレイ装置の装着快適性を向上できるアイシェードが必要である。
【考案の概要】
【考案が解決しようとする課題】
【０００３】
本考案が解決しようとする課題は、外形が簡素で、ユーザの装着快適性を向上できるアイシェードを提供することにある。
【課題を解決するための手段】
【０００４】
上述した課題を解決するために、本考案は、アイシェードであって、
本体部と、２つの突出部とを含み、
上記本体部は、全体として弧状に形成され、ユーザに向かう内表面及びユーザから離れた外表面が弧状に形成されており、
上記本体部の底部には、ノッチが設けられており、
２つの上記突出部は、上記本体部におけるユーザから離れた外表面に設けられ、上記ノッチの左右両側にそれぞれ位置しており、
２つの上記突出部には、ユーザの眼部に対応する位置に貫通孔が設けられているアイシェードを提供する。
【０００５】
ここで、上記本体部の左側面及び右側面と上記本体部の上面との間は、平滑な弧面になる。
ここで、上記本体部の底部は下方に突出して２つの面頬部が形成されており、上記ノッチは２つの上記面頬部の間で三角形に形成されており、上記本体部の左側面及び右側面と２つの面頬部の側面との間は、それぞれ平滑な弧面になる。
ここで、上記本体部におけるユーザに向かう内表面には、上記突出部に対応する位置に凹陥部が形成されている。
ここで、上記突出部の上面及び下面は、三角形に形成されている。
ここで、上記突出部の側面は、凸弧面に形成されている。
ここで、上記本体部と２つの上記突出部とは、一体に成形されている。
ここで、上記本体部におけるユーザから離れた外表面には、２つの上記突出部の間に位置した挿入接続ピンが設けられている。
【考案の効果】
【０００６】
本考案に係るアイシェードは、下記のような有益な効果を有する。弧状に形成された本体部は、ユーザの眼部とより良好に接触可能であり、ユーザの装着快適性を向上することができる。本体部の底部におけるノッチをユーザの鼻形状に合わせて形成することにより、ユーザの鼻によってアイシェードを支持することができる。２つの突出部によって弧状の本体部とウェアラブルディスプレイ装置との間の隙間を充填することにより、外光によるユーザ視認への影響を回避することができる。２つの突出部における貫通孔をユーザの眼部に合わせて設けることにより、ユーザは、２つの貫通孔を通してウェアラブルディスプレイ装置のビジュアルウィンドに示された画像を視認することができる。アイシェード全体の外形が簡素であり、ユーザの装着快適性を効果的に向上することができる。
【図面の簡単な説明】
【０００７】
以下、本考案の実施形態又は従来技術における技術的構成をより明確に説明するために、実施形態又は従来技術の説明に使用される図面について簡単に説明する。以下に説明する図面は、本考案のいくつかの実施形態に過ぎず、これらの図面によって他の図面を得られることは、当業者にとって可能であることは明らかであろう。
【図１】図１は、本考案の好ましい実施形態に係るアイシェードの斜視図である。
【図２】図２は、図１におけるアイシェードの別の視角から見た斜視図である
【図３】図３は、図１におけるアイシェードの正面図である。
【図４】図４は、図１におけるアイシェードの背面図である。
【図５】図５は、図１におけるアイシェードの平面図である。
【図６】図６は、図１におけるアイシェードの底面図である。
【図７】図７は、図１におけるアイシェードの左側面図である。
【図８】図８は、図１におけるアイシェードの右側面図である。
【考案を実施するための形態】
【０００８】
以下、本考案の実施形態に係る図面を参照しながら、本考案の実施形態における技術的構成を明確、完全に説明する。
図１、図２に示すように、本考案の好ましい実施形態に係るアイシェードは、本体部１と、２つの突出部２とを含む。本体部１は、全体として弧状に形成され、ユーザに向かう内表面１１及びユーザから離れた外表面１２が弧状に形成されている。本体部１の底部には、ノッチ１３が設けられている。２つの突出部２は、本体部１におけるユーザから離れた外表面１２に設けられ、ノッチ１３の左右両側にそれぞれ位置している。２つの突出部２には、ユーザの眼部に対応する位置に貫通孔２０が設けられている。
【０００９】
本体部１を弧状に形成することにより、ユーザの眼部とより良好に接触可能であり、ユーザの装着快適性を向上することができる。本体部の底部にノッチ１３を形成することにより、ユーザの鼻形状に合わせて鼻支持構造を形成し、ユーザの鼻によってアイシェードを支持することができる。２つの突出部２によって弧状の本体部１とウェアラブルディスプレイ装置との間の隙間を充填することにより、外光によるユーザ視認への影響を回避することができる。２つの突出部２における貫通孔２０をユーザの眼部に合わせて設けることにより、ユーザは、２つの貫通孔２０を通してウェアラブルディスプレイ装置のビジュアルウィンドに示された画像を視認することができる。アイシェードは、全体として簡素な外形を有し、ユーザの装着快適性を効果的に向上することができる。
【００１０】
図１に示すように、本体部１の左側面１４及び右側面１５と本体部１の上面１６との間は、平滑な弧面になる。このようにして、本体部１における上端の左右両角部が面取りされている。
【００１１】
図１及び図３に示すように、本体部１におけるユーザに向かう内表面１１には、突出部２に対応する位置に凹陥部１８が形成されている。このようにして、突起部２を便利に加工成形し、かつアイシェードの原材料を減少することができる。
【００１２】
図２及び図４に示すように、本体部１の底部は下方に突出して２つの面頬部１７が形成されており、ノッチ１３は２つの面頬部１７の間で三角形に形成されている。２つの面頬部１７によって、ユーザの頬部に張り合わせて装着快適性を向上することができる。本体部１の左側面及び右側面と２つの面頬部１７の側面との間は、それぞれ平滑な弧面になる。このようにして、本体部１における底部の左右両角部が面取りされ、本体部１全体の外形を流線形にし、構造を簡単にする。
【００１３】
図５及び図６に示すように、突出部２の上面及び下面は、三角形に形成されている。このようにして、構造を簡単にし、便利に加工成形することができる。
【００１４】
突出部２の側面２２は、凸弧面に形成されている。このようにして、突出部の側面を曲面にし、本体部１の外形と一致したデザインを有する。
【００１５】
本体部１と２つの突出部２とは一体に成形されている。このようにして、便利に加工することができる。
【００１６】
図７及び図８に示すように、本体部１におけるユーザから離れた外表面には、２つの突出部２の間に位置した挿入接続ピン３が設けられている。挿入接続ピン３をウェアラブルディスプレイ装置の挿入接続孔に合わせて挿入することにより、アイシェードをウェアラブルディスプレイ装置に便利に取り付けることができる。
【００１７】
上述した実施形態は、本考案の保護範囲を限定するものではない。上述した実施形態の思想及び原則内にあるものであれば、いかなる修正、均等交換、改良等があっても、本考案の保護範囲内に含まれるべきである。
【図１】
0003211460.tif 000003
【図２】
0003211460.tif 000004
【図３】
0003211460.tif 000005
【図４】
0003211460.tif 000006
【図５】
0003211460.tif 000007
【図６】
0003211460.tif 000008
【図７】
0003211460.tif 000009
【図８】
0003211460.tif 000010